(57)【特許請求の範囲】
【請求項１】
略円筒形状の部材である主体を含み、
前記主体の中には回転盤が回転可能に設置され、前記主体の中には、前記回転盤の回転中心軸の方向における異物に向かう方向である左方に開口する円柱形の伸縮空間が設置され、前記回転盤の回転中心軸の方向における前記異物に向かう方向と反対の方向は右方であり、前記伸縮空間の中には前記回転盤の回転中心方向に沿って移動できる円柱形の伸縮ブロックが設置され、前記伸縮ブロックの中の左側には切断装置が設置され、前記切断装置は前記伸縮ブロックの左端面の中に設置された旋転空間を含み、前記回転盤が前記旋転空間の右壁に回転可能に連結され、前記回転盤の左端面の中心部にはドリルが固定的に設置され、前記回転盤の左端面には四つの切断刃物が環状になるように配列され、且つ固定的に設置され、前記回転盤の高速回転で前記ドリルは駆動されて塞いだ部分に孔を開け、前記切断刃物によりパイプにある異物を切断して粉砕し、そして落下させ、前記伸縮ブロックにおいて前記旋転空間の右側には総収集空間が設置され、異物が粉砕されたあとに前記総収集空間の中に汲み上げられて収集され、
前記伸縮ブロックの右側には伸縮装置が設置され、前記伸縮装置は前記伸縮ブロックの右端面に固定的に設置された上下対称になる伸縮ロッドを含み、前記伸縮ロッドにより前記伸縮ブロックは駆動されて緩速に左方へ移動でき、そして前記切断装置は左方へ移動しながら異物を切断でき、
前記伸縮空間の右壁の中には汲み上げ装置が設置され、前記汲み上げ装置の中には汲み上げ空間が設置され、前記汲み上げ空間の左壁と前記伸縮空間の右壁とは通路によって連通され、前記伸縮ブロックの右端面と前記伸縮空間の右壁との間には弾性管が固定的に連結され、前記弾性管の中には通路の左側に連通する管路が貫通するように設置され、前記総収集空間と前記管路とは貫通口によって連通され、前記総収集空間の中に収集した異物が前記貫通口と、前記管路と、前記通路とを経由して前記汲み上げ空間の中に入り、
前記汲み上げ空間の後側には動力供給装置が設置され、前記動力供給装置は前記汲み上げ装置を駆動すると同時に前記伸縮装置を駆動することを特徴とするパイプを素早く浚える装置。
【請求項２】
前記汲み上げ空間の右壁には右方に開口する汲み上げ出口が連通するように設置されていることを特徴とする請求項１に記載のパイプを素早く浚える装置。
【請求項３】
前記総収集空間の左壁には左方に開口する四つの外吸込口が環状になるように配列され、且つ連通するように設置され、前記外吸込口と前記旋転空間とは疏通空間によって連通され、前記回転盤の中には内収集空間が設置され、前記内収集空間の上下前後壁には前記旋転空間に連通する出口が連通するように設置され、前記内収集空間の左壁には左方に開口する四つの内吸込口が環状になるように配列され、且つ連通するように設置され、前記外吸込口により前記切断刃物の外側にある異物を前記総収集空間の中に吸い込み、前記切断刃物の内側にある異物を前記内吸込口から前記内収集空間の中に吸い込み、前記出口と前記疏通空間とを連通させる時、異物は前記出口と前記疏通空間とを経由して前記外吸込口の中に入り、そして前記総収集空間の中に入ることを特徴とする請求項１に記載のパイプを素早く浚える装置。
【請求項４】
前記旋転空間の右壁の中には旋転モータが固定的に設置され、前記回転盤の左端には動力軸が伝動可能に連結され、前記旋転モータは前記動力軸の左端に固定的に連結されていることを特徴とする請求項１に記載のパイプを素早く浚える装置。
【請求項５】
前記伸縮ロッドの中には右方に開口するネジ山空間が設置され、前記ネジ山空間の中にはスクリューがネジ山により連結され、前記スクリューは前記伸縮空間の右壁に回転可能に連結されていることを特徴とする請求項１に記載のパイプを素早く浚える装置。
【請求項６】
前記汲み上げ装置は前記汲み上げ空間の前後壁に回転可能に連結された回転軸を含み、前記回転軸の外円面には汲み上げ羽根が環状になるように配列され、且つ固定的に設置されていることを特徴とする請求項１に記載のパイプを素早く浚える装置。
【請求項７】
前記動力供給装置は前記汲み上げ空間の後側に設置された動力供給空間を含み、前記回転軸の後端が前記動力供給空間の中に延在し、且つ前記回転軸の後端にはラチェットが固定的に設置され、前記ラチェットの後端にはウォームが固定的に設置され、前記ウォームの下側にはウォームホイールが噛み合うように設置され、前記ウォームホイールの軸心部には伝動軸が固定的に設置され、前記動力供給空間の左側にはプーリ空間が連通するように設置され、前記伝動軸の左端が前記プーリ空間の中に延在し、且つ前記伝動軸の左端にはダブルプーリが固定的に設置されていることを特徴とする請求項１に記載のパイプを素早く浚える装置。
【請求項８】
前記スクリューの右端が前記プーリ空間の中に延在し、且つ前記スクリューの右端には従動プーリが固定的に設置され、前記従動プーリと前記ダブルプーリとの間には伝動ベルトが巻かれていることを特徴とする請求項５に記載のパイプを素早く浚える装置。
【請求項９】
前記動力供給空間の後壁の中には動力供給モータが固定的に設置され、前記ウォームの後端が前記動力供給モータの前端に伝動可能に連結されていることを特徴とする請求項７に記載のパイプを素早く浚える装置。
【発明の詳細な説明】
【技術分野】
【０００１】
本願発明はパイプ浚え技術分野を取り上げて、具体的にはパイプを素早く浚える装置である。
【背景技術】
【０００２】
道路建設において、よく水流を導くためのパイプを地下に埋設し、しかし、固形廃棄物や雑草、砂などが長時間蓄積されたあと、パイプを塞ぎ、パイプラインの使用に影響を与える。パイプを浚えるために、従来は高圧でゴミを押し出すという方法を採用し、当該方法はゴミの噴射が激しいため、危険であり、効果もそれほど理想的ではない。本願発明は上記の問題を解決できる装置である。
【先行技術文献】
【特許文献】
【０００３】
【特許文献１】中国特許出願公開第１０９５７７４７０号明細書
【発明の概要】
【発明が解決しようとする課題】
【０００４】
従来は高圧でゴミを押し出すという方法を採用し、当該方法は危険であり、効果もそれほど理想的ではない。
【課題を解決するための手段】
【０００５】
上記の問題を解決するために、本例はパイプを素早く浚える装置を設計し、本願発明に記載のパイプを素早く浚える装置は、略円筒形状の部材である主体を含み、前記主体の中には回転盤が回転可能に設置され、前記主体の中には、前記回転盤の回転中心軸の方向における異物に向かう方向である左方に開口する円柱形の伸縮空間が設置され、前記回転盤の回転中心軸の方向における前記異物に向かう方向と反対の方向は右方であり、前記伸縮空間の中には前記回転盤の回転中心方向に沿って移動できる円柱形の伸縮ブロックが設置され、前記伸縮ブロックの中の左側には切断装置が設置され、前記切断装置は前記伸縮ブロックの左端面の中に設置された旋転空間を含み、前記回転盤が前記旋転空間の右壁に回転可能に連結され、前記回転盤の左端面の中心部にはドリルが固定的に設置され、前記回転盤の左端面には四つの切断刃物が環状になるように配列され、且つ固定的に設置され、前記回転盤の高速回転で前記ドリルは駆動されて塞いだ部分に孔を開け、前記切断刃物によりパイプにある異物を切断して粉砕し、そして落下させ、前記伸縮ブロックにおいて前記旋転空間の右側には総収集空間が設置され、異物が粉砕されたあとに前記総収集空間の中に汲み上げられて収集され、前記伸縮ブロックの右側には伸縮装置が設置され、前記伸縮装置は前記伸縮ブロックの右端面に固定的に設置された上下対称になる伸縮ロッドを含み、前記伸縮ロッドにより前記伸縮ブロックは駆動されて緩速に左方へ移動でき、そして前記切断装置は左方へ移動しながら異物を切断でき、前記伸縮空間の右壁の中には汲み上げ装置が設置され、前記汲み上げ装置の中には汲み上げ空間が設置され、前記汲み上げ空間の左壁と前記伸縮空間の右壁とは通路によって連通され、前記伸縮ブロックの右端面と前記伸縮空間の右壁との間には弾性管が固定的に連結され、前記弾性管の中には通路の左側に連通する管路が貫通するように設置され、前記総収集空間と前記管路とは貫通口によって連通され、前記総収集空間の中に収集した異物が前記貫通口と、前記管路と、前記通路とを経由して前記汲み上げ空間の中に入り、前記汲み上げ空間の後側には動力供給装置が設置され、前記動力供給装置は前記汲み上げ装置を駆動すると同時に前記伸縮装置を駆動する。
【０００６】
好ましくは、前記汲み上げ空間の右壁には右方に開口する汲み上げ出口が連通するように設置され、前記汲み上げ空間の中に吸い込まれた異物を前記汲み上げ出口から排出する。
【０００７】
好ましくは、前記総収集空間の左壁には左方に開口する四つの外吸込口が環状になるように配列され、且つ連通するように設置され、前記外吸込口と前記旋転空間とは疏通空間によって連通され、前記回転盤の中には内収集空間が設置され、前記内収集空間の上下前後壁には前記旋転空間に連通する出口が連通するように設置され、前記内収集空間の左壁には左方に開口する四つの内吸込口が環状になるように配列され、且つ連通するように設置され、前記外吸込口により前記切断刃物の外側にある異物を前記総収集空間の中に吸い込み、前記切断刃物の内側にある異物を前記内吸込口から前記内収集空間の中に吸い込み、前記出口と前記疏通空間とを連通させる時、異物は前記出口と前記疏通空間とを経由して前記外吸込口の中に入り、そして前記総収集空間の中に入る。
【０００８】
好ましくは、前記旋転空間の右壁の中には旋転モータが固定的に設置され、前記回転盤の左端には動力軸が伝動可能に連結され、前記旋転モータは前記動力軸の左端に固定的に連結されている。
【０００９】
好ましくは、前記伸縮ロッドの中には右方に開口するネジ山空間が設置され、前記ネジ山空間の中にはスクリューがネジ山により連結され、前記スクリューは前記伸縮空間の右壁に回転可能に連結されている。
【００１０】
好ましくは、前記汲み上げ装置は前記汲み上げ空間の前後壁に回転可能に連結された回転軸を含み、前記回転軸の外円面には汲み上げ羽根が環状になるように配列され、且つ固定的に設置されている。
【００１１】
好ましくは、前記動力供給装置は前記汲み上げ空間の後側に設置された動力供給空間を含み、前記回転軸の後端が前記動力供給空間の中に延在し、且つ前記回転軸の後端にはラチェットが固定的に設置され、前記ラチェットの後端にはウォームが固定的に設置され、前記ウォームの下側にはウォームホイールが噛み合うように設置され、前記ウォームホイールの軸心部には伝動軸が固定的に設置され、前記動力供給空間の左側にはプーリ空間が連通するように設置され、前記伝動軸の左端が前記プーリ空間の中に延在し、且つ前記伝動軸の左端にはダブルプーリが固定的に設置されている。
【００１２】
好ましくは、前記スクリューの右端が前記プーリ空間の中に延在し、且つ前記スクリューの右端には従動プーリが固定的に設置され、前記従動プーリと前記ダブルプーリとの間には伝動ベルトが巻かれている。
【００１３】
好ましくは、前記動力供給空間の後壁の中には動力供給モータが固定的に設置され、前記ウォームの後端が前記動力供給モータの前端に伝動可能に連結されている。
【発明の効果】
【００１４】
本願発明の有益効果は：本願発明は穿孔と切断の方法でパイプにあるゴミを粉砕でき、そして粉砕されたゴミを取り除き、また、自動的にパイプの中に伸びてパイプの奥まで浚え作業を行い、使用が極めて便利であり、不使用時に収納されるため、作業員を傷つけることを避けられ、安全性が高い。
【図面の簡単な説明】
【００１５】
下記に図１〜６をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１６】
【図１】図１は本願発明の全体構成模式図
【図２】図２は図１におけるＡ―Ａ方向からの構成模式図
【図３】図３は図１におけるＢ―Ｂ方向からの構成模式図
【図４】図４は図１におけるＣ―Ｃ方向からの構成模式図
【図５】図５は図４におけるＤ―Ｄ方向からの構成模式図
【図６】図６は図１におけるＥ―Ｅ方向からの構成模式図
【発明を実施するための形態】
【００１７】
本願発明はパイプを素早く浚える装置に関わり、主にパイプを浚える作業に応用され、以下に図面を交えて本願発明について更なる説明をする。  
【００１８】
本願発明に記載のパイプを素早く浚える装置は、略円筒形状の部材である主体１１を含み、前記主体１１の中には回転盤１５が回転可能に設置され、前記主体１１の中には、前記回転盤１５の回転中心軸の方向における異物に向かう方向である左方に開口する円柱形の伸縮空間１２が設置され、前記回転盤１５の回転中心軸の方向における前記異物に向かう方向と反対の方向は右方であり、前記伸縮空間１２の中には前記回転盤１５の回転中心方向に沿って移動できる円柱形の伸縮ブロック１３が設置され、前記伸縮ブロック１３の中の左側には切断装置１０１が設置され、前記切断装置１０１は前記伸縮ブロック１３の左端面の中に設置された旋転空間１４を含み、前記回転盤１５が前記旋転空間１４の右壁に回転可能に連結され、前記回転盤１５の左端面の中心部にはドリル１６が固定的に設置され、前記回転盤１５の左端面には四つの切断刃物１７が環状になるように配列され、且つ固定的に設置され、前記回転盤１５の高速回転で前記ドリル１６は駆動されて塞いだ部分に孔を開け、前記切断刃物１７によりパイプにある異物を切断して粉砕し、そして落下させ、前記伸縮ブロック１３において前記旋転空間１４の右側には総収集空間１８が設置され、異物が粉砕されたあとに前記総収集空間１８の中に汲み上げられて収集され、前記伸縮ブロック１３の右側には伸縮装置１０２が設置され、前記伸縮装置１０２は前記伸縮ブロック１３の右端面に固定的に設置された上下対称になる伸縮ロッド１９を含み、前記伸縮ロッド１９により前記伸縮ブロック１３は駆動されて緩速に左方へ移動でき、そして前記切断装置１０１は左方へ移動しながら異物を切断でき、前記伸縮空間１２の右壁の中には汲み上げ装置１０３が設置され、前記汲み上げ装置１０３の中には汲み上げ空間２０が設置され、前記汲み上げ空間２０の左壁と前記伸縮空間１２の右壁とは通路２１によって連通され、前記伸縮ブロック１３の右端面と前記伸縮空間１２の右壁との間には弾性管２２が固定的に連結され、前記弾性管２２の中には通路２１の左側に連通する管路２３が貫通するように設置され、前記総収集空間１８と前記管路２３とは貫通口２４によって連通され、前記総収集空間１８の中に収集した異物が前記貫通口２４と、前記管路２３と、前記通路２１とを経由して前記汲み上げ空間２０の中に入り、前記汲み上げ空間２０の後側には動力供給装置１０４が設置され、前記動力供給装置１０４は前記汲み上げ装置１０３を駆動すると同時に前記伸縮装置１０２を駆動する。
【００１９】
有益的には、前記汲み上げ空間２０の右壁には右方に開口する汲み上げ出口２５が連通するように設置され、前記汲み上げ空間２０の中に吸い込まれた異物を前記汲み上げ出口２５から排出する。
【００２０】
有益的には、前記総収集空間１８の左壁には左方に開口する四つの外吸込口２６が環状になるように配列され、且つ連通するように設置され、前記外吸込口２６と前記旋転空間１４とは疏通空間２７によって連通され、前記回転盤１５の中には内収集空間２８が設置され、前記内収集空間２８の上下前後壁には前記旋転空間１４に連通する出口２９が連通するように設置され、前記内収集空間２８の左壁には左方に開口する四つの内吸込口３０が環状になるように配列され、且つ連通するように設置され、前記外吸込口２６により前記切断刃物１７の外側にある異物を前記総収集空間１８の中に吸い込み、前記切断刃物１７の内側にある異物を前記内吸込口３０から前記内収集空間２８の中に吸い込み、前記出口２９と前記疏通空間２７とを連通させる時、異物は前記出口２９と前記疏通空間２７とを経由して前記外吸込口２６の中に入り、そして前記総収集空間１８の中に入る。
【００２１】
有益的には、前記旋転空間１４の右壁の中には旋転モータ３５が固定的に設置され、前記回転盤１５の左端には動力軸３６が伝動可能に連結され、前記旋転モータ３５は前記動力軸３６の左端に固定的に連結されている。
【００２２】
有益的には、前記伸縮ロッド１９の中には右方に開口するネジ山空間３１が設置され、前記ネジ山空間３１の中にはスクリュー３２がネジ山により連結され、前記スクリュー３２は前記伸縮空間１２の右壁に回転可能に連結されている。
【００２３】
実施例によって、以下に汲み上げ装置１０３について詳しく説明し、前記汲み上げ装置１０３は前記汲み上げ空間２０の前後壁に回転可能に連結された回転軸３３を含み、前記回転軸３３の外円面には汲み上げ羽根３４が環状になるように配列され、且つ固定的に設置されている。
【００２４】
有益的には、前記動力供給装置１０４は前記汲み上げ空間２０の後側に設置された動力供給空間３７を含み、前記回転軸３３の後端が前記動力供給空間３７の中に延在し、且つ前記回転軸３３の後端にはラチェット３８が固定的に設置され、前記ラチェット３８の後端にはウォーム３９が固定的に設置され、前記ウォーム３９の下側にはウォームホイール４０が噛み合うように設置され、前記ウォームホイール４０の軸心部には伝動軸４１が固定的に設置され、前記動力供給空間３７の左側にはプーリ空間４２が連通するように設置され、前記伝動軸４１の左端が前記プーリ空間４２の中に延在し、且つ前記伝動軸４１の左端にはダブルプーリ４３が固定的に設置されている。
【００２５】
有益的には、前記スクリュー３２の右端が前記プーリ空間４２の中に延在し、且つ前記スクリュー３２の右端には従動プーリ４４が固定的に設置され、前記従動プーリ４４と前記ダブルプーリ４３との間には伝動ベルト４５が巻かれている。
【００２６】
有益的には、前記動力供給空間３７の後壁の中には動力供給モータ４６が固定的に設置され、前記ウォーム３９の後端が前記動力供給モータ４６の前端に伝動可能に連結されている。
【００２７】
以下に、図１〜図６を合わせ、本願発明の使用手順について詳しく説明する。
【００２８】
初めに、伸縮ブロック１３が伸縮空間１２の中に収縮されている。
【００２９】
パイプを浚えようとする時、伸縮空間１２の開口をパイプの口と合わせ、旋転モータ３５が作動し、動力軸３６により回転盤１５を駆動して速く回転させ、動力供給モータ４６は作動してウォーム３９を駆動して回転させ、歯車噛合によりウォームホイール４０は駆動されて減速するように回転し、伝動軸４１によりダブルプーリ４３は駆動されて回転し、伝動ベルト４５により上下両側の従動プーリ４４は駆動されて同期回転し、さらにスクリュー３２は回転し、ネジ山による連結で伸縮ロッド１９は駆動されて左方へ移動し、さらに伸縮ブロック１３を駆動して左方へ移動させ、弾性管２２は引っ張られて伸びていき、この時にドリル１６と切断刃物１７とは高速回転しながら左方へ移動し、パイプの中に伸びて異物を切断粉砕し、当該過程において、ウォーム３９はラチェット３８を駆動して回転させ、片方向噛合により回転軸３３を駆動して回転させ、汲み上げ羽根３４により異物を汲み上げ、切断刃物１７の外側にある切断された異物は外吸込口２６から総収集空間１８の中に吸い込まれ、切断刃物１７の内側にある切断された異物は内吸込口３０から内収集空間２８の中に吸い込まれ、そして出口２９と疎通空間２７とを経由して内吸込口３０から総収集空間１８の中に入り、総収集空間１８の中にある異物は貫通口２４と、管路２３と、通路２１とを経由して汲み上げ空間２０に吸い込まれ、そして汲み上げ出口２５から排出され、そうすることでパイプを塞ぐ異物を除去し、パイプを浚えることを可能にし、
浚え作業が終わったあと、旋転モータ３５は作動を止め、動力供給モータ４６は逆回転してウォーム３９を駆動して逆回転させ、さらに伸縮ロッド１９を駆動して右方へ移動させ、さらに伸縮ブロック１３を駆動して右方へ伸縮空間１２の中まで移動させ、この時にラチェット３８の片方向噛合により回転軸３３は回転しない。
【００３０】
以上の方式により、本分野の技術者が本発明の範囲内に作動モードにより各種な変化をすることができる。
【要約】
【課題】本願発明はパイプを素早く浚える装置を開示した。
【解決手段】
主体を含み、前記主体の中には左方に開口する伸縮空間が設置され、前記伸縮空間の中には伸縮ブロックが左右にスライド可能に設置され、前記伸縮ブロックの中の左側には切断装置が設置され、前記切断装置は前記伸縮ブロックの左端面の中に設置された旋転空間を含み、前記旋転空間の右壁には回転盤が回転可能に設置され、前記回転盤の左端面の中心部にはドリルが固定的に設置され、前記回転盤の左端面には四つの切断刃物が環状になるように配列され、且つ固定的に設置され、本願発明は穿孔と切断の方法でパイプにあるゴミを粉砕でき、そして粉砕されたゴミを取り除き、また、自動的にパイプの中に伸びてパイプの奥まで浚え作業を行い、使用が極めて便利である。
【選択図】図１【図１】
0006802440.tif 000002
【図２】
0006802440.tif 000003
【図３】
0006802440.tif 000004
【図４】
0006802440.tif 000005
【図５】
0006802440.tif 000006
【図６】
0006802440.tif 000007